(57)【要約】      （修正有）【課題】多量の重い組成物を収納することができ、破裂して開くことなくさまざまな高さからの落下に耐えることができるプラスチック袋を提供する。【解決手段】前面１２と後面１４とそれぞれがガセット２０をその中に有し、前面及び後面をそれぞれ接続する２つの側面１８と、前面、後面、及び側面を接続することによって形成される平坦化可能な底面１６と、前面、後面、及び側面を接続することによって形成可能な上面２２と、を有する。袋は再利用不能なクロージャ及び再利用可能なクロージャを備えるクロージャシステムを有することができる。製品を使用する方法、その中に収納される酸化性の、粒子状で流動性の組成物の美味性を増進する方法も包含されている。【選択図】図１
2014148361.tif 000002
【特許請求の範囲】
【請求項１】
ａ．）袋と、
ｂ．）前記袋内に収容される、少なくとも６．８ｋｇ（１５ポンド）の粒子状で流動性の組成物と、を含む製品であって、
袋が、
ｉ．）前面と、
ｉｉ．）後面と、
ｉｉｉ．）前記前面及び前記後面を接続する２つの側面であって、各側面がガセットを含んでいる、２つの側面と、
ｉｖ．）前記前面、前記後面及び前記側面を接続することにより形成される、平坦化可能な底面と、
ｖ．）前記前面、前記後面及び前記側面を接続することにより形成可能な上面と、
ｖｉ．）目標開口領域を有する膜を含む再使用不能なクロージャであって、前記目標開口領域が１．７〜２６．３Ｎ／ｃｍ（１インチ当り１〜１５ポンド）の引き裂き強度を有する、再使用不能なクロージャと、を含む、
製品。
【請求項２】
前記袋は、封止可能なものであり、少なくとも１１．０ＭＰａ（１平方インチ当り１，６００ポンド）の封止強度を有し、
前記袋は、１３０〜２００マイクロメートルの厚さ及び少なくとも２３．４ＭＰａ（１平方インチ当り３，４００ポンド）の引っ張り強度を有したプラスチック積層体を含む、請求項１に記載の製品。
【請求項３】
前記袋が、少なくとも９．１ｋｇ（２０ポンド）の前記粒子状で流動性の組成物を収容する、請求項１又は２に記載の製品。
【請求項４】
前記袋が、０．４〜０．８の前記高さに対する前記幅の比を有する、請求項１〜３のいずれか一項に記載の製品。
【請求項５】
前記袋が、０．２〜０．４の前記高さに対する前記深さの比を有する、請求項１〜４のいずれか一項に記載の製品。
【請求項６】
前記内部容積、前記袋の前記深さ及び前記ガセットが、組み合わされて、前記袋の前記上部付近に、前記袋を持ち上げるために把持することができる把持可能な部分を形成する、請求項１〜５のいずれか一項に記載の製品。
【請求項７】
前記再使用不能なクロージャが、前記袋の前記幅に沿って延びる長さを有する、請求項１〜６のいずれか一項に記載の物品。
【請求項８】
前記再使用不能なクロージャが、前記袋の前記前面と前記後面との間を接続可能な膜を含み、前記膜が、ユーザーに面する表面及び外表面を有する、請求項１〜７のいずれか一項に記載の製品。
【請求項９】
前記膜の前記外表面の一部分が、前記袋の前記前面に封止可能であり、
前記膜の前記外表面の一部分が前記袋の前記後面に封止可能である、請求項１〜８のいずれか一項に記載の製品。
【請求項１０】
前記目標開口領域が、前記膜中で複数の孔を含む、請求項１〜９のいずれか一項に記載の製品。
【請求項１１】
前記膜が、その前記ユーザーに面する表面上に指示表示を含む、請求項１〜１０のいずれか一項に記載の製品。
【請求項１２】
再使用可能なクロージャを更に含む、請求項１〜１１のいずれか一項に記載の製品。
【請求項１３】
前記再使用可能なクロージャが、トラックアンドスライダーシステム、プラスチック製ファスナー、金属製ファスナー、フックループ式締結システム、ねじ込み式クロージャデバイス、プレス式封止デバイス、スナップ式封止デバイス、再封止可能な接着剤、磁気デバイス、静電気デバイス、及び、それらの組み合わせからなる群から選択される、請求項１〜１２のいずれか一項に記載の製品。
【請求項１４】
前記袋が、１０°から５０°の先端角度を有する、請求項１に記載の製品。
【請求項１５】
前記組成物が、乾燥ペットフードを含む、請求項１に記載の製品。
【発明の詳細な説明】
【技術分野】
【０００１】
本発明は、全体として、粒子状で流動性の組成物を収納する袋に関し、特に、粒子状で流動性の組成物を収納する大型で重い袋に関する。より具体的には、本発明は、少なくとも１．２ｍ（４フィート）からの落下又は降下に、破裂したり破れて開いたりすることなく耐えることができる、袋及びそのような袋のクロージャシステムに関する。最も具体的には、本発明は、６．８〜３４ｋｇ（１５〜７５ポンド）の粒子状で流動性の組成物を収納する袋に関する。
【背景技術】
【０００２】
家畜飼料、嵩高な食品、コーヒー、肥料、洗剤など、大量の嵩高な粒子状で流動性の組成物を使用し販売する業界は、運送、取扱い、小売、並びに消費者の移送及び使用に適した容器に入れて、そのような組成物を包装し運送するという作業に直面する場合が多い。嵩高な家畜飼料などの食品組成物の場合、そのような容器は、典型的には、３４ｋｇ（７５ポンド）以下の食品組成物を収納する紙袋又はプラスチック袋である。したがって、そのような容器は、破れて開くことなく運送及び取扱いに耐えることができなければならない。
【０００３】
嵩高な組成物を収納し取り扱うための袋は、さまざまな材料から作られ、袋の材料の性質、クロージャシステムの性質、及び経費検討に応じてさまざまなやり方でしっかりと閉じられる。そのような袋に使用される材料としては、バーラップ、紙、多層体、並びにナイロン及びポリプロピレン織布を含むプラスチックが挙げられる。一回使用のクロージャは、容器に組成物を充填した後に、縫製、テープ止め、接着、熱シール、及び／又は超音波溶接で容器を閉じることによって達成することができる。そのような袋及びクロージャを製造するコストは、袋の材料のタイプ及び使用されるクロージャのタイプによって変わる。小売ペットフード業界では、そのような袋は、典型的には、紙、プラスチック、及び／又は箔の多層体から作られ、縫製、テープ止め、熱シール、及び／又は超音波溶接で閉じられる。
【０００４】
そのような袋の材料及びクロージャは、典型的には、材料コスト、材料の性質、クロージャのコスト、クロージャの性質、袋の破れによる製品の破損及び損失などを考慮して、最も費用効率の高い容器を提供するように選択される。６．８ｋｇ以上（１５ポンド以上）の量の乾燥ペットフード組成物を収納する袋は、典型的には、多くの場合はその内面がプラスチック又は箔で裏打ちされた多層の紙袋であり、縫製、テープ止め、及び／又は接着で閉じられているものである。
【０００５】
しかしながら、紙袋は、中に収納された食品組成物を特に長期にわたって新鮮に保つものではない。酸素、水分、及び恐らくは微生物も、袋に入り込む可能性がある。したがって、時間とともに、食品は、酸化し、古くなり、虫がわき、一般に、動物にとっての美味性が低下し、動物の飼主による望ましさが低下する。それに加えて、縫製、テープ止め、及び／又は接着して閉じられた袋は、一旦、開けると再シールすることができない。したがって、多くの動物の飼主は、容易に出し入れでき、容易に再閉止することができ、及び食品を新鮮に保つ、貯蔵容器に紙袋の中身を空けるという手段に頼っている。
【０００６】
更に、そのような食料袋は、典型的には方形であり、そのような袋の高さに対して奥行が非常に小さい。したがって、袋は、最大表面の１つ、通常、前面又は後面を下にして、平らに積み重ね、陳列されなければならない。そのような向きは、特に６．８ｋｇ以上（１５ポンド以上）の組成物を収納する袋に対しては、袋の陳列、取り出し及び持ち上げを困難とせしめる。そのような袋を店舗の棚から上手く取り出した場合、袋は、袋の狭い底面を下にして置かれる場合が多く、倒れる場合が多い。袋の不安定は、袋を垂直に保たなければなら場合、面倒なことになり得る。それに加えて、袋を家庭に持ち帰って開いた場合、袋がひっくり返ると大量に中身がこぼれる可能性がある。
【０００７】
近年、メーカーは、再閉止可能であって、中身を品質低下から長期にわたってより一層保護し、それによって使用者が大型で重い袋を別の容器に空けなくてもよい、袋を提供しようとしてきた。したがって、メーカーは、プラスチック袋、又はプラスチック若しくは箔で裏打ちされた紙袋であって、再閉止可能な機構を有するものを供給し始めている。プラスチック、及びプラスチック又は箔で裏打ちされた材料は、例えば、紙又はバーラップよりも良好な、水分及び空気／酸素の障壁であり、品質低下及び侵襲からのより良好な保護を提供する。
【０００８】
しかしながら、多くのそのようなプラスチック袋は、６．８ｋｇ以上（１５ポンド以上）の嵩高な組成物で充填され、トラック、店舗の棚、使用者の車から、若しくは使用者が把持した状態から落下したとき、又は倒れたときに、破裂して開くことが見出されていた。破裂の問題は、そのような袋が再閉止可能な機構付きで形成されているときに深刻化する場合が多い。そのような袋は、再閉止可能な機構の部位で、又は袋の１つ以上のシール若しくは継ぎ目で破裂する可能性があり、あるいは、袋自体を形成する材料が破れ、それによって袋が破裂して開く場合がある。加えて、プラスチック袋は、接触に対して滑りやすい可能性があり、それにより、紙、ナイロン、又はバーラップなどの他の材料に比べて袋が落下する場合が多くなり得る。
【０００９】
一部のメーカーは、再閉止可能な機構の上、又はそれを横切って材料を配置及びシールし、袋が最終目的地で安全に置かれたならば、消費者がその材料を取り除くことによって、再閉止可能な機構における袋の破裂の問題を解決しようと試みてきた。そのような方策は、さまざまな紙袋、及び重量約６．８ｋｇ（１５ポンド）を超える量の組成物で実現可能である。しかしながら、多くのプラスチック袋は、約６．８ｋｇ（１５ポンド）を超える材料を収納し、袋が再閉止可能な機構を含んでいるか否かに関わらず、約０．９ｍ（３フィート）の高さから落下したとき、依然として破裂する。したがって、約６．８ｋｇ（１５ポンド）を超える乾燥ペットフードを収納するのに使用される袋の大多数は、さまざまなタイプの紙袋である。他の方策としては、再閉止可能な機構を有することに加えて、袋の内部をシールすることが挙げられる。別の選択肢は、再閉止可能な機構に二重の厚さを使用することである。しかしながら、より多数の構成要素が袋に付加されるにしたがって、コストが法外に増加する可能性がある。
【発明の概要】
【発明が解決しようとする課題】
【００１０】
したがって、多量の重い組成物を収納することができ、破裂して開くことなくさまざまな高さからの落下に耐えることができる、プラスチック袋が必要とされている。また、そのような袋が再閉止可能である必要性も存在する。そのような袋は、また、中身に対する水分及び酸化の障壁保護をもたらす必要性も存在する。また、袋が、袋の底面を下にして直立に載置されたときに安定し、及び容易に把持される必要性も存在する。
【課題を解決するための手段】
【００１１】
本発明は、乾燥ペットフードなどの多量の粒子状で流動性の組成物を収納する袋を含む製品、及び乾燥ペットフードなどの被酸化性の粒子状で流動性の組成物の美味性を保存し向上する方法に関する。本発明の袋は、少なくとも約６．８ｋｇ（１５ポンド）の粒子状で流動性の組成物を収納し、少なくとも約１．２ｍ（４フィート）の高さから落下させたときに耐破裂性であり、その底面を下にして置いたときに安定し、倒れにくいように寸法的に調整される。袋は再閉止可能であることができる。そのような物品、袋、及び方法は、運送及び取扱いの間の袋の損傷及び製品の損失を低減し、より見やすく持ち上げやすい向きで袋を陳列し販売することを可能にし、また、組成物を使用するために使用者が袋の中身を別の容器に移さなくて済むようにすることができる。
【図面の簡単な説明】
【００１２】
【図１】本発明の袋の斜視図。
【図２】本発明の代替実施形態の斜視図。
【図３】粒子状で流動性の組成物を充填した本発明の袋を示す、一部を切り取った斜視図。
【図４】本発明の再利用不能なクロージャを示す袋の上面斜視図。
【図５】本発明の膜の横断面図。
【図６】再利用不能なクロージャがその中に部分的に設置された袋の斜視図。
【図７ａ】目標開口可能領域を示す、本発明の再利用不能なクロージャの斜視図。
【図７ｂ】目標開口可能領域を示す、本発明の再利用不能なクロージャの斜視図。
【図７ｃ】目標開口可能領域を示す、本発明の再利用不能なクロージャの斜視図。
【発明を実施するための形態】
【００１３】
特記しない限り、すべの測定を２５℃で行う。
【００１４】
用語「粒子状で流動性の組成物」は、本明細書で使用するとき、また本発明とともに使用可能な場合、げっ歯類、犬、猫、馬、山羊、牛、豚、鳥などを含む家畜の飼料、洗剤、肥料、猫のトイレ、嵩高な食品（穀物、ナッツ、豆、果物などを含む）を含む組成物を意味する。
【００１５】
用語「スラックフィル」は、本明細書で使用するとき、組成物が占める容積が容器の内容積よりも少ないようにして、製造中及び／又は包装中に組成物を容器に充填し、それによって「上部空き容積」、即ち、容積の空き部分を容器中に残すことを意味する。
【００１６】
用語「シール」は、本明細書で使用するとき、袋自体を形成するシール（１つ以上）であって、プラスチック積層体の内面を互いにシールすることによって形成されるものを意味し、それに加えて、再利用不能なクロージャが使用される場合、そのような再利用不能なクロージャを袋の上部にシールしたときに形成されるシールを意味する。
【００１７】
用語「シール強度」は、本明細書で使用するとき、袋の形成において作製及び使用されるそれぞれのシールにおける引張り強度の尺度を指す。
【００１８】
製品
袋
本発明は、図１〜７に示される製品を包含する。図１及び２に示されるように、製品は、平坦化可能な底面１６から上向きに延びる前面１２及び後面１４を備える、袋１０を含む。２つの側面１８は、それぞれ、前面１２及び後面１４を袋１０の向かい合った側で接続する、展開可能なガセット２０を有する。袋１０はまた、前面１２、後面１４及び側面１８を接続することによって形成することができる平坦化可能な底面１６を有する。袋１０は、また、前面１２、後面１４、側面１８を接続することによって形成することができ、平坦化可能な底面１６の反対側に位置する上面２２も有する。袋は、高さＨ、幅Ｗ、奥行Ｄを有する。袋１０の高さＨ、幅Ｗ、及び奥行Ｄは、袋の内面から測定した袋１０の内寸として定義及び測定される。高さＨは、袋の前面又は後面に沿って、底部シールの内縁部から袋の上縁部までとして測定され、クロージャは含まない。幅は、袋の前面又は後面を横切って、袋の高さの中間点において縁部シールの内側から縁部シールの内側までとして測定される。奥行は、どちらかのサイドガセットを横切って、袋の高さの中間点において縁部シールから縁部シールまでとして測定される。高さＨ、幅Ｗ、及び奥行Ｄは内容積Ｖを画定する。
【００１９】
袋１０は、当該技術分野において一般的に知られている方法、例えば、熱シールなどによって、側面１８ａ、１８ｂ、底面１６、及び上面２２の少なくとも１つの縁部に沿ってシール可能である。袋は、また、縁部１８ａ、１８ｂそれぞれでシールすることができる。４つの側縁部のそれぞれでシールされた、そのような袋は、「クワッドシール」袋と称される。クワッドシール袋は、本明細書に記載される好ましい一実施形態である。袋のシールは、少なくとも１１ＭＰａ（１平方インチ当たり１６００ポンド）のシール強度を有する。袋は、１３０〜２００マイクロメートルの厚さを有するプラスチック積層体を含む。プラスチック積層体は、少なくとも２３．４ＭＰａ（１平方インチ当たり３，４００ポンド）の引張り強度を有する。
【００２０】
製品は、袋に加えて、その中に収納されている、少なくとも６．８ｋｇ（１５ポンド）の粒子状で流動性の組成物を含む。別の方法としては、製品は、少なくとも９．１ｋｇ（２０ポンド）の粒子状で流動性の組成物、あるいは少なくとも３０ポンドの粒子状で流動性の組成物、あるいは少なくとも１８．１ｋｇ（４０ポンド）の粒子状で流動性の組成物を含む。この製品は、３４．０ｋｇ（７５ポンド）までの粒子状で流動性の組成物を含むことができる。
【００２１】
本発明の製品の袋１０は、特定の寸法及び特定の形状を有するように形成される。図１及び２に示されるように、本発明の袋１０の一実施形態は、０．４〜０．８の、幅Ｗの高さＨに対する比を有する。あるいは、幅Ｗの高さＨに対する比は０．６である。幅Ｗ：高さＨのこのような比は、袋１０をその底部表面１６を下にして容易に定置および貯蔵することができるように、袋１０が安定で、倒れにくいということを確実に行う助けとなる。更に、高さＨ：幅Ｗのそのような比は、袋が落下した場合にプラスチック積層体及びシールに発生する力を分散させるので、高さＨ：幅Ｗの比は、袋が落下した場合に破れたり破裂したりしにくくする一助となる。
【００２２】
袋１０は、また、０．２〜０．４の奥行Ｄ：高さＨの比を有する。あるいは、袋１０は、０．２〜０．３の奥行Ｄ：高さＨの比を有する。奥行Ｄは、サイドガセット２０によってもたらされる。奥行Ｄの高さＨに対する比により、また、袋１０をその底面１６を下にして容易に配置して格納でき、確実に倒れにくくなる。加えて、奥行Ｄの高さＨに対する比は、また、袋１０が落下した場合にプラスチック積層体及びシールに発生する力を分散させるので、奥行Ｄの高さＨに対する比により、袋１０が落下した場合に破れたり、破裂したりしにくくなる。
【００２３】
そのような比は、市販の袋に一般的に見られるものではない。ほとんどの市販のサイドガセット袋は、比較的小さいサイドガセットを有し、したがって、奥行の高さに対する比が非常に小さい。そのような小さい奥行の高さに対する比により、袋は、底面が小さくなり、底面を下にして倒れずに有効に直立することができなくなる。したがって、従来のペット用食料の袋は、前面又は後面のどちらかを下にして横にして陳列しなければならず、上手く直立しないため、中に収納された組成物の使用期間全体にわたって有効に使用することができない。加えて、サイドガセットが小さいプラスチック積層体の袋は、ガセットを有する側面の表面積が小さいため、耐破裂性がはるかに小さい。そのような袋を、特に小さなガセット付きの側面を下にして落下させたとき、それらはガセット付きの側面の表面積が小さいために生じる力によって破裂する傾向がある。
【００２４】
したがって、本発明の袋の幅Ｗ：高さＨの比と、奥行Ｄ：高さＨの比との例示的組み合わせは、０．６及び０．２５である。本発明の袋１０は、上述したように形成されると、少なくとも６．８ｋｇ（１５ポンド）の粒子状で流動性の組成物を充填したとき、少なくとも１．２ｍ（４フィート）からガセット付き側面１８の一方の上への落下に耐えることができ、非常に安定であり、倒れにくい。したがって、そのような袋は、直立した垂直位置で陳列及び販売可能であり、組成物の使用の間、その中に収納された組成物の貯蔵容器として容易に使用可能である。
【００２５】
図３に示されるように、本発明の袋１０は、また、袋１０内に収納される組成物が占める容積Ｖｉｃよりも少なくとも２０％大きい内容積Ｖを画定し、したがって、上部空き容積Ｖｈが作り出される。袋は、組成物が袋の内容積Ｖ全体を占めないようにしてスラックフィルされる。２０％の上部空き容積Ｖｈは、充填後に袋１０を容易にかつしっかりとシールすることを可能とし、袋１０が落下した場合に発生する力を分散させて、袋１０を確実に耐破裂性とせしめる一助となり、また、奥行Ｄ及びガセット２０と組み合わせて、図１及び２に見られるように、上面２２付近に、袋１０を把持して持ち上げることができる把持可能な部分２４を提供する。
【００２６】
袋１０の一実施形態は、袋１０を確実に耐破裂性とせしめる一助となることができ、不正開封防止指標を提供することができる、図４に示される、再利用不能なクロージャ２６を含むことができる。再利用不能なクロージャ２６は、袋１０の前記幅Ｗに沿って延びる長さを有する。再利用不能なクロージャ２６は、袋１０の前面１２と後面１４との間を接続可能な膜２８を含む。膜２８は、１７０〜２００マイクロメートルの厚さを有する。再利用不能なクロージャ２６は、膜２８の材料のマシン方向で袋１０に設置される。
【００２７】
膜２８は、使用者に面する表面３０、外表面３２（図５に示されるような）、及び、ＡＳＴＭ法Ｄ−８８２の薄いプラスチックシートの引張り特性に関する標準試験方法によって横断方向又はクロスマシン方向で測定して、少なくとも２６．３Ｎ／ｃｍ（１平方インチ当たり１５ポンド）の引裂強度を有する。再利用不能なクロージャ２６は、袋１０の上縁部３４に配置可能であり、あるいは、袋１０の上縁部３４からある距離だけ内側に配置可能である。図４では、再利用不能なクロージャ２６は、袋１０の上縁部３４に位置するように示される。
【００２８】
図５に示されるように、膜２８は、袋１０をシールして閉じるために、膜２８の外表面３２上に、外表面３２を袋１０の前面１２に対してシール可能にすることができる複数のリブ３６ａと、膜２８の外表面３２上に、外表面３２を袋１０の後面１４に対してシール可能にすることができる複数のリブ３６ｂと、を有する。
【００２９】
図６は、袋１０上に部分的に設置された膜２８を示す。膜２８の外表面３２上の複数のリブ３６ａ（図５に示されるような）は、前面１２の内表面１２ａに対して、またガセット２０の内表面２０ｂの上部２０ａに対してシール可能である。膜２８の外表面３２上の複数のリブ３６ｂは、後面１４の内表面１４ａに対して、またガセット２０の内表面２０ｂの上部２０ａに対してシール可能である。膜２８を袋１０にシールすると、シールは、ガセット２０の上部２０ａ並びに前面１２及び後面１４を捕捉する。そのようなシールは、例えば熱シールなど、当該技術分野において一般的に知られている方法によって達成することができる。
【００３０】
製品を製造するときには、袋１０を形成し、その上部を開く。次いで、膜２８の外表面３２のリブ３６ａを、前面１２の内表面１２ａ及びガセット２０の上部２０ａに対してシールすることができる。袋１０を充填し、次いで、外表面３２のリブ３６ｂを後面１４の内表面１４ａ及びガセット２０の上部２０ａに対してシールして、袋１０をシールして閉じ、上面２２を形成することができる。
【００３１】
そのようなクロージャによって、袋を上部から充填することが可能になる。しかしながら、そのようなクロージャを袋の上部に完全に設置し、充填前に上面２２を形成し、底部からの充填プロセスの間にクロージャを破いたり破裂させたりせずに、底部からの充填プロセスに使用することもできる。
【００３２】
膜２８は、優れた耐破裂性を提供するが、２６．３Ｎ／ｃｍ（１平方インチ当たり１５ポンド（ｌｂｆ／ｉｎ．））を超える引裂強度は、使用者が手で開けることが困難であることが判る。最終消費者又は使用者が本発明の製品を手で開けやすいことも望まれるため、膜２８は、目標開口領域３８を備える。目標開口領域３８は、ＡＳＴＭ法Ｄ−８８２により横断方向又はクロスマシン方向で測定して、１．７〜２６．３Ｎ／ｃｍ（１インチ当り１〜１５ポンド（ｌｂｆ／ｉｎ．））の、あるいは５．２〜２１Ｎ／ｃｍ（１インチ当り３〜１２ポンド（ｌｂｆ／ｉｎ．））の、あるいは７．０〜１７．５Ｎ／ｃｍ（１インチ当り４〜１０ポンド（ｌｂｆ／ｉｎ．））の、あるいは７．０〜１５．９Ｎ／ｃｍ（１インチ当り４〜９ポンド（ｌｂｆ／ｉｎ．））の、及びあるいは８．７〜１２．２Ｎ／ｃｍ（１インチ当り５〜７ポンド（ｌｂｆ／ｉｎ．））の引き裂き強度を有する。
【００３３】
本発明の袋の開発時に、既知の再利用不能なクロージャ及び不正開封防止機構は、膜の全長、即ち本質的に袋の全幅に延びる開口領域を有することが見出された。そのような開口領域は、典型的には、１つ以上の刻み線、孔、又は他の材料脆弱化機構からなる。しかしながら、そのような開口領域は、使用者によって手で容易に開かれるものの、例えば、６．８ｋｇ以上（１５ポンド以上）の乾燥ペットフードで充填された袋が、場合によっては４５．７ｃｍ（１８インチ）程度の低い位置から落下したときに、脆弱な破裂領域となることが判った。そのような落下は、さまざまな粒子状で流動性の組成物を収納する大型で重い袋の運送及び取扱いにおいて一般的であり、製品の損傷及び損失、並びに小売業者及び消費者にとっての厄介を引き起こす。
【００３４】
したがって、本発明の耐破裂性の袋１０は、膜２８の長さＬの１％〜９０％の目標開口領域３８を備える。別の方法として、目標開口領域３８は、膜２８の長さＬの１％〜５０％、あるいは膜２８の長さＬの１％〜３０％、あるいは膜２８の長さＬの１％〜１０％を含む。更に、開口領域が膜２８の長さＬの末端部２８ａ、２８ｂのどちらかの５％まで延びるか、又はその範囲以内に位置する場合には、開口領域が膜２８の長さＬの小さな比率、例えば１０〜２０％しか含まない場合であっても、耐破裂性が低下することが判った。したがって、小さい開口領域であっても、膜２８の末端部（一方又は両方）２８ａ、２８ｂに位置すると、耐破裂性を低下させる。したがって、本発明の「目標開口領域」３８は、開口領域が膜２８の末端部２８ａ、２８ｂどちらかの５％以内まで延びないことを意味し、またその前提を有する。目標開口領域３８は、目標開口領域の定義内で、膜２８の長さＬに沿ったいずれかの場所に位置することができ、又は、膜２８の長さＬ及び袋１０の幅Ｗに沿った中間点Ｍに集中可能である。目標開口領域３８は、膜２８の幅Ｗの中間点Ｍ又はその付近に位置し、袋１０の上縁部３４からある距離だけ内側に配置される。図７ａ〜ｃは、目標開口領域３８のさまざまな位置及びサイズを示す。
【００３５】
図７ａ〜ｃに見ることができるように、目標開口領域３８は、膜２８の複数の孔４０を含むことができる。目標開口領域３８は、また、レーザースコアリング、熱スコアリング、又は材料の一部分の除去などの任意のタイプの機械的弱化も含み、それにより形成可能である。
【００３６】
図７ａ〜ｃにも示されるように、膜２８は、また、膜２８の使用者に面する表面３０上に使用説明表示４２を含むこともできる。そのような使用説明表示４２は、語、写真、記号、絵などを含む印刷物を含んで、再利用不能なクロージャ２６をどこでどのように開くかを使用者に示すことができる。
【００３７】
膜３２は、エチレン由来のポリマー、ポリプロピレン、ポリエステル、ポリオレフィン類、ホモポリマー及び／又はコポリマーポリオレフィン類、並びにそれらの組み合わせからなる群から選択された材料から形成することができる。
【００３８】
特に、膜３２は、低密度ポリエチレン、高密度ポリエチレン、超低密度ポリエチレン、及びそれらの組み合わせからなる群から選択されたエチレン由来のポリマーを含むことができる。材料の特定の組み合わせは、耐破裂性に対する材料の強度と、袋１０の使用の容易さのための開封性との釣り合いに基づいて選択される。材料は、また、袋１０のプラスチック積層体に対してしっかりとシールして、少なくとも１１ＭＰａ（１平方インチ当たり１，６００ポンド）の必要なシール強度を提供する能力に基づいて工夫及び形成される。この膜の材料は、膜の内層の融点近傍以下の温度でリブが袋の内表面に対してシールするようにリブ３６ａ及び３６ｂを形成する、低密度ポリエチレン、高密度ポリエチレン、及び超低密度／極低密度ポリエチレンと、超低密度／極低密度ポリエチレンとの共押出ブレンドであることができる。リブ３６ａ、３６ｂの数は、膜の幅Ｗに応じて変わり得る。膜２８上におけるリブ３６ａ、３６ｂの間隔は、望ましいシールのタイプ及び強度に応じて変わり得る。
【００３９】
耐破裂性を提供し、開封を可能とさせる膜２８の特定の材料を見つけることに加えて、耐破裂性、シール強度、製造時のシールの容易さ、及び開封性に関して膜２８の寸法が重要である。膜２８は、３．８ｃｍ（１．５インチ）〜７．６ｃｍ（３インチ）の幅Ｗを有する。あるいは、膜２８は、５．１ｃｍ（２インチ）〜７．６ｃｍ（３インチ）の幅を有する。あるいは、膜２８は７．６ｃｍ（３インチ）の幅を有する。膜２８の全長Ｗが７．６ｃｍ（３インチ）のとき、図５にて前述したように、１０〜１５個、あるいは１４個のリブ３６ａ、３６ｂが外表面３２に存在し得る。
【００４０】
本発明の特定のプラスチック積層体の製造及び開発は、難しいことが判明した。プラスチック積層体は既知であるが、適切な積層体を構築するのは困難であることが証明された。粒子状で流動性の組成物を収納する袋は、運送及び取扱いの間に落下する場合が多い。従来の市販されているそのような袋は、６．８ｋｇ（１５ポンド）程度の少ない組成物が充填されていると、４５．７ｃｍ（１８インチ）程度の低い高さから落下したとき、破裂する場合が多い。そのような破裂は、製品の損傷及び損失、並びに小売業者及び消費者にとって混乱及び迷惑を引き起こす。特に、再閉止可能な機構を有する袋は、再閉止可能な機構の部位で破裂する傾向がある。したがって、現在、入手可能な再シール可能な袋は、一般に、６．８ｋｇ（１５ポンド）を超える容量では入手できず、及び／又は再閉止可能な機構が上からテープ止めされているか、ないしは別の方法で付加的に強化されている。
【００４１】
大量の粒子状で流動性の組成物を収納する袋が破裂すると、袋のいくつかの要素が機能しなくなる可能性がある。袋が再閉止可能な機構を有する場合、袋の落下によって発生した力は、再閉止可能な機構を介して中に収納された組成物を破裂させる可能性がある。袋を形成するシールが剥離し、機能しなくなる可能性がある。袋自体の材料、例えばプラスチック積層体は、破れたり破裂したりして開く可能性がある。積層体の材料並びに積層体の厚さは、その耐破裂性に影響を及ぼす。
【００４２】
したがって、強度と伸長性（引張り強度によって測定）、可撓性と剛性（割線モジュラスによって測定）、質感、厚さ、及び費用効率の釣り合いを有する適切な積層体を作り出すことが必要であった。特定の積層体は、高い引張り強度を、したがって高い伸長抵抗性を有することがあり、これはある程度有用である。しかしながら、そのような積層体は脆性又は剛性である（即ち、高い割線モジュラスを有する）ことがあり、また、延伸抵抗性であるため簡単に破裂することがあり、したがって、本発明の袋には有用でない。しかしながら、非常に延伸性で（即ち、低い引張り強度を有する）、したがって耐破裂性である他の積層体も、運送、取扱い及び落下の後に、膨れ又は見苦しい変形を起こすことがあるので好適ではない。加えて、本発明により使用可能な積層体は、好適な質感も有さなければならず、過度に滑りやすくてもいけない。少なくとも６．８ｋｇ（１５ポンド）の粒子状で流動性の組成物を収納する袋は、その中に収納された材料の重量により、持ち上げて、運ぶことが困難であり得る。したがって、そのような材料を収納する袋は、理想的には、滑りにくいか、又は把持しやすいものであるべきである。
【００４３】
加えて、積層体は、熱シールなどの当該技術分野において既知の方法によって、しっかりとシールして袋を形成できなければならない。積層体は、費用効率も高くなければならず、プラスチック積層体の袋は、従来の紙の飼料袋よりも費用がかかる。したがって、できるだけ薄い層の積層体が望ましい。しかしながら、積層体の厚さは、その組成との組み合わせで、落下したときに破裂する可能性に影響を及ぼす。したがって、材料の組成及び厚さを考慮しなければならない。
【００４４】
したがって、本発明の袋１０は、ＡＳＴＭ法Ｄ−８８２で測定して、少なくとも１１ＭＰａ（１平方インチ当たり１，６００ポンド）のシール強度を有する。あるいは、袋１０は、少なくとも１２．４ＭＰａ（１平方インチ当たり１，８００ポンド）のシール強度を有する。
【００４５】
袋を形成するプラスチック積層体は、ＡＳＴＭ法Ｄ−８８２によってマシン方向及び横断方向又はクロスマシン方向の両方で測定して、少なくとも２３．４ＭＰａ（１平方インチ当たり３，４００ポンド）の引張り強度を有する。別の方法として、プラスチック積層体は、少なくとも２４．１ＭＰａ（１平方インチ当たり３，５００ポンド）、あるいは少なくとも２６．２ＭＰａ（１平方インチ当たり３，８００ポンド）の引張り強度を有する。
【００４６】
この袋のプラスチック積層体は、ＡＳＴＭ法Ｄ−８８２によってマシン方向及び横断方向の両方又はクロスマシン方向の両方で測定して、３４４．７ＭＰａ〜７５８．４ＭＰａ（１平方インチ当たり５０，０００〜１１０，０００ポンド）の割線モジュラスを有する。
【００４７】
袋１０は、エチレン由来のポリマー、ポリプロピレン、ポリエステル、テレフタレート類、ポリオレフィン類、ホモポリマー及び／又はコポリマーポリオレフィン類、ポリプロピレン織布、及びそれらの組み合わせからなる群から選択されたプラスチック積層体から形成可能である。より具体的には、プラスチック積層体は、ポリエチレン類をポリエチレンテレフタレート（ＰＥＴ）などのテレフタレート類と組み合わせたものなど、エチレン由来のポリマーからなる群から選択することができる。積層体の内表面がそれ自体に対して、及び使用される場合においては再利用不能なクロージャの材料に対してシール可能であるためには、積層体の内表面の材料は、熱シールを可能にするために融解するように比較的低い融点を有するものであるが、外表面は、熱シール時に融解しないように、より高い融点を有するものである。したがって、外層は、ポリエチレンテレフタレート（ＰＥＴ）であることができ、内層は、線状低密度ポリエチレン、中密度ポリエチレン、及び線状低密度ポリエチレンの共押出ブレンドであることができる。本明細書で使用するとき、ポリエチレンの「低密度」、「中密度」、「高密度」「超低密度／極低密度」は、そのような材料の技術分野において使用され理解されているような意味を有する。
【００４８】
プラスチック積層体は、１３０〜２００マイクロメートルの厚さを有する。あるいは、プラスチック積層体は、１４０〜１７０マイクロメートルの厚さを有する。
【００４９】
プラスチック積層体は、袋１０の耐破裂性を助けることに加えて、酸素及び水分の障壁性を提供しなければならない。プラスチックは、従来のペットフード用に紙よりも良好な酸素及び水分の障壁であることが示されている。また、ペットフード中に一般的に見出される脂肪、炭水化物、タンパク質、及び他の成分は、空気に晒されると時間とともに酸化することも示されてきた。更に、美味性試験において、動物は、紙袋に貯蔵されている飼料よりもプラスチック袋に貯蔵されている飼料を長期にわたって好むことが示されている。したがって、本発明の製品は、その中に収納された被酸化性組成物の向上した美味性も提供する。
【００５０】
したがって、好ましいプラスチック積層体は、ＡＳＴＭ法Ｄ−３９８５により測定して、１００．８ｃｃ／１ｍ２／２４時間（６．５ｃｃ／１００ｉｎ２／２４時間）未満、あるいは９６．１ｃｃ／１ｍ２／２４時間（６．２ｃｃ／１００ｉｎ２／２５時間）未満の酸素透過率を有する。好ましいプラスチック積層体は、また、ＡＳＴＭ法Ｆ−１２４９によって測定して、１．６ｇ／１ｍ２／２４時間（０．１ｇ／１００ｉｎ２／２４時間）未満、あるいは１２．４ｇ／１ｍ２／２４時間（０．８ｇ／１００ｉｎ２／２４時間）未満の水蒸気透過率を有する。
【００５１】
図１及び２に示されるように、本発明の別の実施形態では、袋１０は、再利用可能なクロージャ４４を更に含むことができる。上述したように、袋１０の寸法及び比率は、耐破裂性及び向上した安定性を提供するようなものである。したがって、袋１０は、底面１６を下にして置いたとき安定する。プラスチック積層体は、また、酸素及び水分の障壁性をもたらして、組成物の袋１０中の長期にわたる貯蔵も可能とせしめる。したがって、再利用可能なクロージャを提供することによって、最終使用者の消費者が、袋１０自体を組成物の貯蔵具として単純に使用できるようになる。
【００５２】
本発明の再利用可能なクロージャの非限定例としては、トラックアンドスライダーシステム（track and a slider system）、プラスチック製ファスナー、金属製ファスナー、マジックテープ式締結システム、ねじ込み式クロージャデバイス、プレス式シールデバイス、スナップ式シールデバイス、再シール可能な接着剤、磁気シールデバイス、静電気シールデバイス、及びそれらの組み合わせが挙げられる。
【００５３】
再利用可能なクロージャ４４は、図１及び２に示されるように、袋１０の上縁部３４に配置可能である。
【００５４】
あるいは、再利用可能なクロージャ４４は、前記袋の上縁部３４からある距離だけ内側に配置可能である。
【００５５】
本発明の別の実施形態では、袋１０は、再利用不能なクロージャ及び再利用可能なクロージャの両方を備えることができる。
【００５６】
上述したように、袋１０は、耐破裂性であるだけでなく、安定であるので、再利用可能な貯蔵容器として使用することができる。上述したように、袋１０の比率及び寸法は安定性を提供する。したがって、袋１０は、１０°〜５０°の先端角度を有し、あるいは、２０°〜３０°の先端角度を有する。先端角度は、ＡＳＴＭ法６１７９を使用して測定される。
【００５７】
袋１０は、また、耐破裂性をもたらし、及び魅力的な視覚的外観を袋にもたらすため、袋内の空気圧を均等化する手段も備えるべきである。しかしながら、そのような気圧を均等化する手段は、また、侵襲の防止、即ち、望ましくない微生物の袋への入り込みの防止も行わなければならない。
【００５８】
空気圧均等化手段は、空気が袋１０から逃げ、また袋に入るようにすることができる。袋の運送及び取扱い時には、空気は袋１０から逃げられるようにすることが重要である。運送のためにパレット上に袋を積み重ねているとき、空気を袋から逃がす手段がなければ、上下に重なった袋の重量によって袋が破裂してしまう可能性がある。しかしながら、空気を袋から絞り出すと、袋は、魅力的でない「真空包装の」ごつごつした外観を有する可能性がある。したがって、袋を陳列及び販売のために積み下したならば、空気を袋に戻すことができることが望ましい。
【００５９】
空気圧の均等化は、袋１０の少なくとも一面に、例えば図１及び２に示されるような各サイドガセット２０に、複数の孔４６を設けることによって達成することができる。孔４６は、空気を通過させることができるが、侵襲を防ぐため、直径９０マイクロメートル未満、あるいは直径７０マイクロメートル未満とすることができる。
【００６０】
加えて、付加的な通気路のため、１つ以上のギャップ（図示なし）を袋のシールに設けることができる。ギャップ（１つ又は複数）は、熱シールプロセスを中断することによって形成可能であり、そのようなシールは、当該技術分野において「スキップギャップ」シールとして知られている。そのような「スキップギャップシール」を形成するためには、非連続的なシールバー、すなわち、１つ以上のギャップをその上に有して、シールバーのギャップ化部分がシールされる材料に触れず、非シール部分又は「ギャップ」を残す、シールバーを使用することができる。そのような「スキップギャップシール」は、この袋の底部で形成されるシール上で、膜の第１の部分をこの袋の前面に取り付けるときに、又は膜の第２の部分を袋の後面に取り付けるときに形成されるシールにおいて形成可能である。「スキップギャップシール」は、例えば袋を充填したときに閉じた袋をシールする最終シールにおいて形成可能である。それぞれのギャップは、７０μｍ〜１０ｍｍの長さであることができる。再利用不能なクロージャを使用しない場合、ギャップ（１つ又は複数）は、適切で望ましい空気の均等化の必要に応じて、袋の形成に使用されるシールのいずれかに形成することができる。
【００６１】
このギャップ（１つ又は複数）は直線の側面のものであり、円筒状若しくは管状の形状を有することができ、又は成形及び／若しくは湾曲可能であり、並びに空気を通すことができるが、侵襲に対して障壁を提供する（即ち、潜在的に侵襲する微生物に対してより長くより複雑な経路を提供する）長さのものであることができる。当業者には理解されるように、いずれの賦型されたギャップも、熱シール装置のシールバーに組み込むか、又はその形に形成することができる。
【００６２】
美味性を増進する方法
本発明は、また、次の工程を含む貯蔵後、被酸化性で粒子状で流動性の組成物の美味性を増進する方法も包含する：
ａ．プラスチック積層体袋であって：
ｉ．）ガセットをその中に有し、前面及び後面を接続する２つの側面；
ｉｉ．）再使用可能なクロージャ及び再使用不能なクロージャを含み、前記再使用不能なクロージャが、目標開口領域を有する膜を含み、目標開口領域が７．０〜１７．５Ｎ／ｃｍ（１インチ当り４〜１０ポンド（ｌｂｆ／ｉｎ．））の引き裂き強度を有する、クロージャシステムを含み；
プラスチック積層体が予め定められた酸素透過率及び予め定められた水蒸気透過率を有する、プラスチック積層体袋を提供する工程；
ｂ．このプラスチック積層体袋に少なくとも６．８ｋｇ（１５ポンド）の被酸化性の、粒子状で流動性の組成物を充填する工程；
ｃ）閉じたプラスチック積層体袋をシールして；それにより酸化及び腐敗を防止し、及びその中に含まれている組成物の美味性を増進させる工程。
【００６３】
この方法により使用可能なプラスチック積層体は、１００．８ｃｃ／１ｍ２／２４時間（６．５ｃｃ／１００ｉｎ２／２４時間）未満の、又は９６．１ｃｃ／１ｍ２／２４時間（６．２ｃｃ／１００ｉｎ２／２４時間）未満の酸素透過率を有する。酸素透過率は、上述したように、ＡＳＴＭ法Ｄ−３９８５によって測定される。このプラスチック積層体は、１．６グラム／１ｍ２／２４時間（０．１グラム／１００ｉｎ２／２４時間）未満の、又は１２．４グラム／１ｍ２／２４時間（０．８グラム／１００ｉｎ２／２４時間）未満の水蒸気透過率を有する。水蒸気透過率は、上述したように、ＡＳＴＭ法Ｆ−１２４９により測定される。
【実施例】
【００６４】
ＡＳＴＭ法５２７６−９８（２００４年再承認）の「自由落下による装填済み容器の落下試験の標準試験方法（Standard Test Method for Drop test for Loaded Containers by Free Fall）」は、破損に対する平均落下高さを見出すためのさまざまなパラメーターを評価するためにさまざまな形状の容器を落下させることに対する規定、又は合格／不合格データを得るための規定を含んでいる。運送及び取扱いの要件に対する規格として、本発明の袋を１．８（６フィート）以下の高さからのこれらの試験にかける。
【００６５】
特に、セクションＡ１．１、Ａ１．３を参照のこと。本発明の袋を試験する際、必要な落下高さが指定されるので、試験は合格／不合格の試験である。そのような袋を包装、運送、及び取扱った経験に基づき、規格は、少なくとも９．１ｋｇ（２０ポンド）の粒子状で流動性の材料を収納するそのような袋が、少なくとも１．８ｍ（６フィート）からの自由落下に合格しなければならないものと設定される。袋が少なくとも１８．１ｋｇ（４０ポンド）の粒子状で流動性の材料を収納するとき、それらは、少なくとも１．２ｍ（４フィート）からの自由落下に合格しなければならない。袋のシールのいずれか、いずれかのクロージャ（再利用可能若しくは再利用不能に関わらず）、又は袋の材料が破れ、裂け、剥離し、穴があき、変形し、膨張し、及び／又は漏れたならば、不合格が発生する。
【００６６】
そのような落下に使用される装置は、ＡＳＴＭ法５２７６−９８のセクション５に準拠する。特に、使用される装置は、Ｌ．Ａ．Ｂ．モデル１６０Ａ落下試験機である。袋は、袋の６つの表面それぞれを下にして落下させることができ、特に、側面の少なくとも１つを下にして所与の落下高さからの落下試験に合格しなければならない。セクションＡ２．２．１におけるように単一の落下を行い、セクションＡ２．２．８におけるように、６つの表面全てを下にした落下を行う。特に、２つの側面は最も不合格になる可能性が高いと判断されている側面であるため、セクションＡ２．２．１０におけるように、落下を、２つの側面の一方又は両方を下にして行う。セクション５．１．５．１に指定されているように、またセクション５．１．５．３〜５に準拠して、衝突表面はコンクリートである。
各表面を下にして袋を落下させるときは、落下がセクション８．４．１〜８．５に準拠するようにして落下させる。
【００６７】
（実施例１）
本発明の袋を以下のように組み立てることができる。
【００６８】
厚さ１４０マイクロメートルのメタロセン線状低密度ポリエチレン、中密度ポリエチレン、及びメタロセン線状低密度ポリエチレンの共押出層に、接着剤積層によって接合された、厚さ１２マイクロメートルのポリエチレンテレフタレート（「ＰＥＴ」）層（例えば、Ｅｘｏｐａｃｋ（Ｓｐａｒｔａｎｂｕｒｇ，ＳＣ，ＵＳＡ）から入手可能）を含む、プラスチック積層フィルムを袋の形成に使用する。袋の形成時には、共押出ポリエチレン層は内表面を形成し、ＰＥＴ層は袋の外表面を形成する。
【００６９】
袋の側部をガセット付けする。袋の各側部上の各側部ガセットの２つの縁部をシールして、各側部上に２つの縁部シールを形成し、４つの縁部（４）シールを得、結果として「クワッドシール」袋を形成する。この袋を慣用のヒートシールにより底部でシールして、サイドガセットの底部をその中に捕捉し、底部表面を形成する。更に、当該技術分野において既知のような「Ｋシール」を用いて、サイドガセットを袋の底部でシールして、底面が平坦化可能となるようにする。
【００７０】
低密度ポリエチレンと超低密度ポリエチレンとのブレンドから形成された再利用不能なクロージャ膜を、スライダーアンドトラックファスナー、例えばＰａｃｔｉｖ  Ｃｏｒｐ．（Ｌａｋｅ  Ｆｏｒｅｓｔ，Ｉｌ，ＵＳＡ．）製のＳｌｉｄｅ−Ｒｉｔｅ（登録商標）ファスナーのトラックに、共押出により取り付ける。スライダートラックサイドガセットデバイスのトラックは、高密度ポリエチレンから形成される。このトラックは、限定ではないが、低密度ポリエチレン及び環状オレフィンなどの材料を更に含む。トラック及び膜を共押出しする。膜は、トラックの内縁部から内縁部までで測定して、７．６ｃｍ（３インチ）の幅Ｗを有する。この膜は、膜の長さに沿って配置され、複数の孔から形成される長さ３．８ｃｍ（１．５インチ）の目標開口領域を有する。目標開口領域は、膜の幅Ｗの中間点Ｍに集中されて、形成され、膜の長さＬの中間点Ｍに集中される。図７Ｃを参照のこと。この目標開口領域は、８．７と１２．２Ｎ／ｃｍ（１インチ当り５〜７ポンド（ｌｂｆ／ｉｎ．））との間の引き裂き強度（ＡＳＴＭ法Ｄ−８８２により測定して）を有する。
【００７１】
この再利用可能なトラック及びスライダークロージャに取り付けられる再利用不能なクロージャ膜を、膜の外表面の一方の面を袋の前面の内表面に熱シールすることによって取り付ける。各サイドガセットの一方の半分の内表面及び外表面をシールにより捕捉する。袋に９．１ｋｇ（２０ポンド）の乾燥ペットフードを充填する。本明細書に記載されている寸法では、２０％の上部空き容積が設けられ、結果として、袋の高さの１４ｃｍ（５．５インチ）が製品の高さの上に残り、それによって袋の適切なシールが可能になる。次いで、再利用不能なクロージャの膜の外表面の第２の側面を、袋の後面の内表面にシールして、袋を閉じる。各サイドガセットの他方の半分の内表面及び外表面を最終的なシールにより捕捉する。
【００７２】
この袋は、６３．５ｃｍ（２５インチ）の高さ、３３．６６ｃｍ（１３．２５インチ）の幅、及び１６．５ｃｍ（６．５インチ）の奥行を有する。高さ寸法は、０．３０ｃｍ（０．１２インチ）の公差を有する。幅寸法は、０．６４ｃｍ（０．２５インチ）の公差を有する。奥行寸法は、１．５ｃｍ（０．６インチ）の公差を有する。幅：高さの比は０．６である。奥行：高さの比は０．２５である。
【００７３】
本実施例に記載したような袋は、９．１ｋｇ（２０ポンド）の乾燥ペットフードを充填した状態で、６つの表面のいずれか、特に２つの側面を下にして、１．８ｍ（６フィート）の高さから落下させたとき、ＡＳＴＭ法Ｄ−５２７６−９８（２００４年度に再承認）「自由落下による装填済み容器の落下試験のための標準試験方法」に従って実施される落下試験に合格する。
【００７４】
（実施例２）
本発明の製品の袋の代替実施形態を以下のように作製することができる。
【００７５】
厚さ１６５マイクロメートルのメタロセン線状低密度ポリエチレン、中密度ポリエチレン、及びメタロセン線状低密度ポリエチレンの共押出層に、接着剤積層によって接合した、厚さ１２マイクロメートルのポリエチレンテレフタレート（「ＰＥＴ」）層（例えば、Ｅｘｏｐａｃｋ社（Ｓｐａｒｔａｎｂｕｒｇ，ＳＣ，ＵＳＡ）から入手可能）を含む、プラスチック積層フィルムを袋の形成に使用する。袋の形成時には、共押出ポリエチレン層は内表面を形成し、ＰＥＴ層は袋の外表面を形成する。
【００７６】
袋の側部をガセット付けする。この袋の各側部上の各サイドガセットの２つの縁部をシールして、２つの縁部シールを各側部に形成して４つの縁部シールを得、その結果、「クワッドシール」袋を形成する。従来の熱シールによって袋を底部でシールし、サイドガセットを底部に捕捉し、底面を形成する。この側部ガセットも袋の底部で当業界で既知の「Ｋシール」によりシールして、底部表面を平坦化可能とする。
【００７７】
低密度ポリエチレンと超低密度ポリエチレンとのブレンドから形成した再利用不能なクロージャ膜をスライダーアンドトラックファスナー、例えばＰａｃｔｉｖ  Ｃｏｒｐ．（Ｌａｋｅ  Ｆｏｒｅｓｔ，Ｉｌ，ＵＳＡ）製のＳｌｉｄｅ−Ｒｉｔｅ（登録商標）ファスナーのトラックに、共押出により取り付ける。スライダートラックファスナーデバイスのトラックを高密度ポリエチレンから形成する。トラック及び膜を共押出する。この膜は、トラックの内縁部から内縁部までで測定して、７．６ｃｍ（３インチ）の幅Ｗを有する。この膜を膜の長さに沿って配置する。膜は、複数の孔から形成される長さ３．８ｃｍ（１．５インチ）の目標開口領域を有する。目標開口領域は、膜の幅Ｗの中間点Ｍで集中して、形成され、膜の長さＬの中間点Ｍで集中される。図７Ｃを参照のこと。この目標開口領域は、８．７と１２．２Ｎ／ｃｍ（１インチ当り５〜７ポンド（ｌｂｆ／ｉｎ．））との間の引き裂き強度（ＡＳＴＭ法Ｄ−８８２により測定して）を有する。
【００７８】
再利用可能なトラック及びスライダークロージャに取り付けられる再利用不能なクロージャ膜を、膜の外表面の一方の面を袋の前面の内表面に熱シールすることによって取り付ける。各サイドガセットの一方の半分の内表面及び外表面をシールにより捕捉する。袋に１８．１ｋｇ（４０ポンド）の乾燥ペットフードを充填する。本明細書に記載される寸法では、２０％の上部空き容積が設けられ、結果として、袋の高さの１４ｃｍ（５．５インチ）が製品の高さの上に残り、それによって袋の適切なシールが可能になる。次いで、再利用不能なクロージャの膜の外表面の第２の側面を、袋の後面の内表面にヒートシールして、袋を閉じる。各サイドガセットの他方の半分の内表面及び外表面を最終的なシールにより捕捉する。
【００７９】
袋は、７３．７ｃｍ（２９インチ）の高さ、４４．５ｃｍ（１７．５インチ）の幅、及び１８．４２ｃｍ（７．２５インチ）の奥行を有する。高さ寸法は、約０．３０ｃｍ（０．１２インチ）の公差を有する。幅寸法は、約０．６４ｃｍ（０．２５インチ）の公差を有する。奥行寸法は、１．５ｃｍ（０．６インチ）の公差を有する。幅：高さの比は０．６である。奥行：高さの比は０．２５である。
【００８０】
本実施例に記載したような袋は、１８．１ｋｇ（４０ポンド）の乾燥ペットフードを充填した状態で、６つの表面のいずれか、特に２つの側面を下にして、１．２ｍ（４フィート）の高さから落下させたとき、ＡＳＴＭ法Ｄ−５２７６−９８（２００４年度に再承認）「自由落下による装填済み容器の落下試験のための標準試験方法」に従って実施される落下試験に合格する。
【００８１】
本明細書に開示されている寸法及び値は、列挙した正確な数値に厳しく制限されるものとして理解すべきではない。それよりむしろ、特に規定がない限り、こうした各寸法は、列挙された値とその値周辺の機能的に同等の範囲との両方を意味することが意図される。例えば、「４０ｍｍ」として開示される寸法は、「約４０ｍｍ」を意味することを意図している。
【００８２】
「発明を実施するための形態」で引用した全ての文献は、関連部分において本明細書に参考として組み込まれるが、いずれの文献の引用も、それが本発明に関して先行技術であることを容認するものとして解釈すべきではない。本書における用語のいずれかの意味又は定義が、参考として組み込まれた文献における同一の用語のいずれかの意味又は定義と相反する限りにおいては、本書においてその用語に与えられた意味又は定義が適用されるものとする。
【００８３】
本発明の特定の実施形態が例示され、記載されてきたが、本発明の趣旨及び範囲から逸脱することなく、他の様々な変更及び修正を実施できることが、当業者には明白であろう。したがって、本発明の範囲内にあるそのようなすべての変更及び修正を、添付の「特許請求の範囲」で扱うものとする。
【図１】
2014148361.tif 000003
【図２】
2014148361.tif 000004
【図３】
2014148361.tif 000005
【図４】
2014148361.tif 000006
【図５】
2014148361.tif 000007
【図６】
2014148361.tif 000008
【図７ａ】
2014148361.tif 000009
【図７ｂ】
2014148361.tif 000010
【図７ｃ】
2014148361.tif 000011
【手続補正書】
【提出日】平成26年4月8日(2014.4.8)
【手続補正１】
【補正対象書類名】明細書
【補正対象項目名】０００９
【補正方法】変更
【補正の内容】
【０００９】
一部のメーカーは、再閉止可能な機構の上、又はそれを横切って材料を配置及びシールし、袋が最終目的地で安全に置かれたならば、消費者がその材料を取り除くことによって、再閉止可能な機構における袋の破裂の問題を解決しようと試みてきた。そのような方策は、さまざまな紙袋、及び重量６．８ｋｇ（１５ポンド）を超える量の組成物で実現可能である。しかしながら、多くのプラスチック袋は、６．８ｋｇ（１５ポンド）を超える材料を収納し、袋が再閉止可能な機構を含んでいるか否かに関わらず、０．９ｍ（３フィート）の高さから落下したとき、依然として破裂する。したがって、６．８ｋｇ（１５ポンド）を超える乾燥ペットフードを収納するのに使用される袋の大多数は、さまざまなタイプの紙袋である。他の方策としては、再閉止可能な機構を有することに加えて、袋の内部をシールすることが挙げられる。別の選択肢は、再閉止可能な機構に二重の厚さを使用することである。しかしながら、より多数の構成要素が袋に付加されるにしたがって、コストが法外に増加する可能性がある。
【手続補正２】
【補正対象書類名】明細書
【補正対象項目名】００１１
【補正方法】変更
【補正の内容】
【００１１】
本発明は、乾燥ペットフードなどの多量の粒子状で流動性の組成物を収納する袋を含む製品、及び乾燥ペットフードなどの被酸化性の粒子状で流動性の組成物の美味性を保存し向上する方法に関する。本発明の袋は、少なくとも６．８ｋｇ（１５ポンド）の粒子状で流動性の組成物を収納し、少なくとも１．２ｍ（４フィート）の高さから落下させたときに耐破裂性であり、その底面を下にして置いたときに安定し、倒れにくいように寸法的に調整される。袋は再閉止可能であることができる。そのような物品、袋、及び方法は、運送及び取扱いの間の袋の損傷及び製品の損失を低減し、より見やすく持ち上げやすい向きで袋を陳列し販売することを可能にし、また、組成物を使用するために使用者が袋の中身を別の容器に移さなくて済むようにすることができる。
【手続補正３】
【補正対象書類名】特許請求の範囲
【補正対象項目名】全文
【補正方法】変更
【補正の内容】
【特許請求の範囲】
【請求項１】
粒子状で流動性のペットフード組成物を収容するための製品であって、
ａ．所定の幅と容積とを有する耐破裂性の袋であって、
前記袋が、
ｉ．）前面と、
ｉｉ．）後面と、
ｉｉｉ．）前記袋が倒れることなくその上に立つことができるようになる底面と、
ｉｖ．）２つの側面であって、各側面がガセットを含んでいる、２つの前記側面と、
ｖ．）上面と、
ｖｉ．）前記袋の幅に沿って配置されたクロージャシステムであって、前記クロージャシステムは、再使用不能なクロージャと再使用可能なクロージャとを含み、前記再使用不能なクロージャは目標開口領域を有する膜からなり、前記膜の前記目標開口領域は、前記膜の１％〜９０％の長さ、及び、１．７〜２６．３Ｎ／ｃｍ（１インチ当り１〜１５ポンド）の引き裂き強度を有する、クロージャシステムと、
ｖｉｉ．）１３０〜２００マイクロメートルの厚さ、及び、少なくとも２３．４ＭＰａ（１平方インチ当り３，４００ポンド）の引っ張り強度を有したプラスチック積層体と、
を含み、
前記袋は、封止可能なものであり、少なくとも１１．０ＭＰａ（１平方インチ当り１，６００ポンド）の封止強度を有する、
袋と、
ｂ．前記袋内に収容される、少なくとも６．８ｋｇ（１５ポンド）の乾燥ペットフード組成物と、
を有し、
前記袋の容量は、前記袋内に収容される前記ペットフード組成物の体積よりも少なくとも２０％大きい、
製品。
【請求項２】
前記袋が、少なくとも９．１ｋｇ（２０ポンド）の前記粒子状で流動性のペットフード組成物を収容する、請求項１に記載の製品。
【請求項３】
前記再使用不能なクロージャの前記膜が、前記袋の前記前面と前記後面との間を接続可能であり、前記膜が、ユーザーに面する表面及び外表面を有する、請求項１又は２に記載の製品。
【請求項４】
前記膜の前記外表面の一部分が、前記袋の前記前面に封止可能であり、
前記膜の前記外表面の一部分が前記袋の前記後面に封止可能である、請求項３に記載の製品。
【請求項５】
前記目標開口領域が、前記膜に複数の孔を含む、請求項１〜４のいずれか一項に記載の製品。
【請求項６】
前記目標開口領域が、前記袋の前記幅の中央に配置されている、請求項１〜５のいずれか一項に記載の製品。
【請求項７】
前記膜が、３．８〜７．６ｃｍ（１．５〜３インチ）の幅を有する、請求項１〜６のいずれか一項に記載の製品。
【請求項８】
前記再使用不能なクロージャが、前記袋の上端に配置される、請求項１〜７のいずれか一項に記載の製品。
【請求項９】
前記再使用不能なクロージャが、前記袋の上端から所定距離だけ内側に配置される、請求項１〜７のいずれか一項に記載の製品。
【請求項１０】
前記再使用可能なクロージャが、トラックアンドスライダーシステム、プラスチック製ファスナー、金属製ファスナー、面ファスナー、ねじ込み式クロージャデバイス、プレス式封止デバイス、スナップ式封止デバイス、再封止可能な接着剤、磁気デバイス、静電気デバイス、及び、それらの組み合わせからなる群から選択される、請求項１〜９のいずれか一項に記載の製品。
【請求項１１】
前記再使用可能なクロージャが、前記袋の上端に配置される、請求項１〜１０のいずれか一項に記載の製品。